(57)【特許請求の範囲】
【請求項１】
発射レールから遊技球が発射される遊技盤と、
前記遊技盤を支持するとともに、前記遊技盤の前端面と略同一面上の平面を有する支持枠と、
前記支持枠の左端部に上下方向へ指向する軸を中心に閉鎖状態および開放状態相互間で回動可能に設けられ、閉鎖状態に回動操作されることに基づいて前記遊技盤の遊技領域を前方から見て外側から囲むように前記遊技盤および前記支持枠の前記平面の一方に前方から接触または前記遊技盤および前記支持枠の前記平面の双方に前方から接触する中間枠と、
前記中間枠に設けられ、前記中間枠の閉鎖状態で前記遊技盤の遊技領域に前方から対向する透明な中間窓と、
前記中間枠の少なくとも一部に設けられ、遊技球をガイドするために前記遊技盤に設けられているレールが挿入される切欠状の切欠部と、
前記支持枠に閉鎖状態および開放状態相互間で前記中間枠とは独立して回動可能に設けられ、前記中間枠の閉鎖状態で閉鎖状態に回動操作されることに基づいて前記中間枠を前方から見て外側から囲むように前記支持枠に前方から接触する前枠と、
前記前枠に設けられ、前記前枠および前記中間枠のそれぞれの閉鎖状態で前記遊技盤の遊技領域に前記中間窓を介して前方から対向する透明な前窓と、
前記中間枠が閉鎖状態から開放状態に向けて回動操作されることを禁止するロック状態および前記中間枠が閉鎖状態から開放状態に向けて回動操作されることを許容するロック解除状態相互間で切換えられる中間枠ロック機構と、
前記前枠が閉鎖状態から開放状態に向けて回動操作されることを禁止するロック状態および前記前枠が閉鎖状態から開放状態に向けて回動操作されることを許容するロック解除状態相互間で切換えられる前枠ロック機構と、
前記前枠ロック機構をロック状態からロック解除状態に切換えるためのものであって、前記前枠の閉鎖状態で前方から鍵を用いて操作される錠機構と、
前記中間枠ロック機構をロック状態からロック解除状態に切換えるためのものであって、前記前枠の閉鎖状態で前記前枠と前記前窓によって操作不能となるように覆われると共に前記前枠の開放状態で前方から操作可能となるように開放される操作子と、
前記中間枠の閉鎖状態で前記切欠部と対向するものであって前記中間枠の閉鎖状態で前記中間枠と前記支持枠との相互間の隙間を塞ぐガード部材を備えたことを特徴とするパチンコ遊技機。
【発明の詳細な説明】
【技術分野】
【０００１】
本発明は前枠を閉鎖状態にロックするロック機構を備えたパチンコ遊技機に関する。
【背景技術】
【０００２】
パチンコ遊技機には支持枠に前枠を装着した構成のものがある。この前枠は支持枠の左端部に上下方向へ指向する軸を中心に閉鎖状態および開放状態相互間で回動可能に装着されたものであり、前枠の閉鎖状態では前枠が支持枠の遊技盤を前方から見て外側から囲むように支持枠に前方から接触する。この前枠は透明な前窓を支持するものであり、前窓は前枠の閉鎖状態で支持枠の遊技盤に前方から対向する。このパチンコ遊技機にはロック機構が搭載されている。このロック機構は前枠が閉鎖状態から開放状態に向けて回動操作されることを禁止するものであり、前枠を閉鎖状態から開放状態に回動操作して遊技盤の障害釘を手指で曲げる等の不正行為を防止することを目的に搭載されている。この構成の場合、不正行為者が前枠のロック状態で前枠を閉鎖状態から開放状態に向けて無理に操作したときには前枠および支持枠相互間に隙間が発生する虞がある。このため、前枠および支持枠相互間の隙間から遊技盤の内レールまたは外レールを乗り越えて遊技盤の遊技領域内にピアノ線を挿入し、遊技領域内の障害釘にピアノ線を引掛けて障害釘を曲げる等の不正行為が行われる虞がある。これら内レールおよび外レールのそれぞれは円弧状をなすものであり、遊技領域は内レールおよび外レール相互間に形成されている。
【特許文献１】特開２００５−３１９２１９号公報
【発明の開示】
【発明が解決しようとする課題】
【０００３】
本件出願人は支持枠に中間枠を装着することを提案した。この中間枠は支持枠の左端部に上下方向へ指向する軸を中心に閉鎖状態および開放状態相互間で回動可能に装着されたものであり、中間枠の閉鎖状態では中間枠が前方から見て遊技盤の遊技領域を外側から囲むように遊技盤に前方から接触する。この中間枠は透明な中間窓を支持するものであり、中間枠の閉鎖状態では中間窓が遊技盤の遊技領域に前方から対向する。この中間枠は中間枠ロック機構を介して閉鎖状態にロックされるものであり、前枠および中間枠のそれぞれのロック状態で前枠を無理に操作する不正行為が行われたときには前枠および支持枠相互間に隙間が発生する虞があるものの中間枠が閉鎖状態に保持される。このため、遊技盤にピアノ線を不正に挿入するには前枠および支持枠相互間の不正な隙間を通して中間枠を無理に操作する難易度が高い作業を行う必要性が発生するので、遊技盤にピアノ線を挿入する不正行為を行うことが困難になる。しかしながら、障害釘相互間に挟まった遊技球を障害釘相互間から除去する目的で中間枠を閉鎖状態および開放状態相互間で通常に回動操作するときに中間枠の軸側である左端部が遊技盤の外レールに接触しないように外レールを中間枠の左端部から右側に遠ざける必要があるので、中間枠を追加した影響で外レールの径寸法が小さくなってしまう。このため、内レールの径寸法が外レールの径寸法に応じて小さくなるので、遊技盤の遊技領域の面積が中間枠を追加した影響で狭くなる新たな問題点が発生する。
【０００４】
本発明は上記事情に鑑みてなされたものであり、遊技盤にピアノ線を挿入する不正行為を行うことが困難であって遊技盤の遊技領域が狭くなることを抑えることができるパチンコ遊技機を提供することを目的とするものである。
【課題を解決するための手段】
【０００５】
本発明のパチンコ遊技機は［１］遊技盤〜［１２］ガード部材を備えたところに特徴を有している。
［１］遊技盤は発射レールから遊技球が発射されるものである。図５の符号７７は遊技盤に相当し、図５の符号７４は発射レールに相当する。
［２］支持枠は遊技盤を支持するものであり、遊技盤の前端面と略同一面上の面を有する。図５の内枠７は支持枠に相当する。
［３］中間枠は支持枠の左端部に上下方向へ指向する軸を中心に閉鎖状態および開放状態相互間で回動可能に設けられたものであり、閉鎖状態に回動操作されることに基づいて遊技盤の遊技領域を前方から見て外側から囲むように遊技盤および支持枠の平面の一方に前方から接触または遊技盤および支持枠の平面の双方に前方から接触する。図１の符号９２は中間枠に相当し、図２の下軸９８および図２の上軸９９のそれぞれは中間枠９２の軸に相当する。
［４］中間窓は中間枠に設けられたものであり、中間枠の閉鎖状態で遊技盤の遊技領域に前方から対向する透明なものである。図２の符号９１は中間窓に相当する。
［５］切欠部は中間枠の少なくとも一部に設けられたものであり、遊技球をガイドするために前記遊技盤に設けられているレールが挿入される切欠状をなすものである。図７の符号１２２のレール挿入口は切欠部に相当する。
［６］前枠は支持枠に閉鎖状態および開放状態相互間で中間枠とは独立して回動可能に設けられたものであり、中間枠の閉鎖状態で閉鎖状態に回動操作されることに基づいて中間枠を前方から見て外側から囲むように支持枠に前方から接触する。図１の符号２２は前枠に相当し、図２の上軸４および図２の下軸５のそれぞれは前枠２２の軸に相当する。
［７］前窓は前枠に設けられたものであり、前枠および中間枠のそれぞれの閉鎖状態で遊技盤の遊技領域に中間窓を介して前方から対向する透明なものである。図１の符号２３は前窓に相当する。
［８］中間枠ロック機構は中間枠が閉鎖状態から開放状態に向けて回動操作されることを禁止するロック状態および中間枠が閉鎖状態から開放状態に向けて回動操作されることを許容するロック解除状態相互間で切換えられるものであり、図４の符号１１０は中間枠ロック機構に相当する。
［９］前枠ロック機構は前枠が閉鎖状態から開放状態に向けて回動操作されることを禁止するロック状態および前枠が閉鎖状態から開放状態に向けて回動操作されることを許容するロック解除状態相互間で切換えられるものであり、図４の符号４０は前枠ロック機構に相当する。
［１０］錠機構は前枠ロック機構をロック状態からロック解除状態に切換えるためのものであり、前枠の閉鎖状態で前方から鍵を用いて操作されるものである。図３のシリンダー錠３２は錠機構に相当する。
［１１］操作子は中間枠ロック機構をロック状態からロック解除状態に切換えるためのものである。この操作子は前枠の閉鎖状態で前枠と前窓によって操作不能となるように覆われ、前枠の開放状態で前方から操作可能となるように開放される。図１の摘み１１９は操作子に相当する。
［１２］ガード部材は中間枠の閉鎖状態で切欠部と対向するものであり、中間枠の閉鎖状態で中間枠と支持枠との相互間の隙間を塞ぐものである。図６の中間枠ガード部材１２９はガード部材に相当する。
【発明の効果】
【０００６】
前枠および中間枠のそれぞれのロック状態で前枠を無理に操作する不正行為が行われたときには前枠および支持枠相互間に隙間が発生する虞がある。この前枠は中間枠とは独立して回動するものであり、中間枠は前枠および支持枠相互間に隙間が不正に発生した状態で閉鎖状態に保持される。このため、遊技盤にピアノ線を不正に挿入するには前枠および支持枠相互間の不正な隙間を通して中間枠を無理に操作する難易度が高い作業を行う必要性が発生するので、遊技盤にピアノ線を挿入する不正行為を行うことが困難になる。しかも、前枠および中間枠のそれぞれのロック状態で中間枠を不正に開放状態に回動操作するには１）錠機構を不正に操作することに基づいて前枠ロック機構をロック状態からロック解除状態に切換える作業と２）前枠を前枠ロック機構のロック解除状態で閉鎖状態から開放状態に不正に回動操作する作業と３）操作子を前枠の開放状態で不正に操作することに基づいて中間枠ロック機構をロック状態からロック解除状態に操作する作業を順に行う必要性が発生する。このため、中間枠を閉鎖状態から開放状態に不正に回動操作するための難易度が高まるので、遊技盤の障害釘を手指で直接的に曲げる不正行為を行うことも困難になる。
【０００７】
障害釘相互間に挟まった遊技球を障害釘相互間から除去する目的で中間枠を閉鎖状態および開放状態相互間で通常に回動操作する場合には例えば外レールが中間枠の切欠状の切欠部に進入するので、中間枠が外レールに接触することがなくなる。このため、例えば外レールの径寸法を小さくすることに基づいて外レールを中間枠から遠ざけ、外レールの径寸法に合わせて内レールの径寸法を小さくする必要性がなくなるので、遊技盤の遊技領域の面積が中間枠を追加した影響で狭くなることが抑えられる。
【０００８】
前枠は例えば左端部の軸を中心に支持枠に回動可能に支持されたものであり、前枠の左端部および支持枠の左端部相互間には前枠が閉鎖状態および開放状態相互間で回動操作されるときに支持枠に接触しないように隙間が形成されている。中間枠は例えば左端部の軸を中心に支持枠に回動可能に支持されたものであり、中間枠の左端部および支持枠の左端部相互間には中間枠が閉鎖状態および開放状態相互間で回動操作されるときに支持枠に接触しないように隙間が形成されている。このため、前枠および中間枠のそれぞれの閉鎖状態で前枠と支持枠との隙間から中間枠と支持枠との相互間の隙間を通して切欠部に至るピアノ線の挿入経路が発生する。ガード部材は中間枠の閉鎖状態で中間枠と支持枠との相互間の隙間を塞ぐものであり、例えば切欠部は中間枠の閉鎖状態で前方から見てガード部材に右向から対向している。このため、前枠の左端部および支持枠の左端部相互間の隙間から中間枠の左端部および支持枠の左端部相互間の隙間を通して切欠部に至るピアノ線の挿入経路が遮断されるので、中間枠の切欠部を通して遊技盤の遊技領域内にピアノ線を挿入することが困難になる。
【発明を実施するための最良の形態】
【０００９】
【実施例１】
【００１０】
外枠１は、図１に示すように、前面および後面のそれぞれが開口する四角筒状をなすものであり、上下方向へ指向する左側板と上下方向へ指向する右側板と左右方向へ指向する上板と左右方向へ指向する下板を相互に接合することから構成されている。この外枠１はパチンコホールの台島に設置されるものであり、外枠１の左側板には、図２に示すように、上金具２および下金具３が固定されている。この上金具２には上下方向へ指向する円柱状の上軸４が固定されており、下金具３には上下方向へ指向する円柱状の下軸５が固定されている。これら上軸４および下軸５のそれぞれは軸心線が相互に共通の垂直線上に配置されたものであり、外枠１には下金具３の下方に位置して横長な長方形状の化粧板６が固定されている。
【００１１】
外枠１には、図１に示すように、化粧板６の上方に位置して内枠７が装着されている。この内枠７は上下方向へ指向する左枠部と上下方向へ指向する右枠部と左右方向へ指向する上枠部と左右方向へ指向する下枠部を有する四角枠状をなすものであり、内枠７の左枠部には水平な板状の上金具８および水平な板状の下金具９のそれぞれが固定されている。この内枠７は、図２に示すように、外枠１の上軸４を内枠７の上金具８に回動可能に挿入し、外枠１の下軸５を内枠７の下金具９に回動可能に挿入することから外枠１に装着されたものであり、閉鎖状態および開放状態相互間で上軸４および下軸５の双方を中心に回動操作される。この内枠７の閉鎖状態は内枠７の右枠部が外枠１の右側板に前方から接触し、内枠７の上枠部が外枠１の上板に前方から接触した状態であり、内枠７の左枠部は内枠７の閉鎖状態で外枠１の左側板に対して前方に離間する。この内枠７の開放状態は内枠７が上軸４および下軸５の双方を中心に閉鎖状態に比べて前方へ回動した状態であり、内枠７は内枠ロック機構１０（図４参照）を介して閉鎖状態にロックされる。この内枠ロック機構１０は内枠７が閉鎖状態から開放状態に回動操作されることを禁止するロック状態および内枠７が閉鎖状態から開放状態に回動操作されることを許容するロック解除状態相互間で切換わるものであり、内枠ロック機構１０の詳細は次の通りである。
【００１２】
内枠７の右枠部には、図４に示すように、上下方向へ指向する板状のロックベース１１が固定されている。このロックベース１１は内枠７の後方に位置するものであり、内枠７の閉鎖状態で外枠１の内部に挿入される。このロックベース１１には板状の内枠上フック１２および板状の内枠下フック１３のそれぞれが左右方向へ指向する軸１４を中心に回動可能に装着されている。これら内枠上フック１２および内枠下フック１３のそれぞれは前から後に向けて水平となるロック位置および前から後に向けて上昇するロック解除位置相互間で軸１４を中心に回動操作されるものであり、内枠上フック１２および内枠下フック１３のそれぞれの後端部には下方へ突出する爪部１５が形成され、両爪部１５のそれぞれには前から後に向けて上昇する傾斜状の操作面１６が形成されている。
【００１３】
外枠１の右側板には、図４に示すように、上ロックプレート１７および下ロックプレート１８のそれぞれが固定されている。上ロックプレート１７は内枠上フック１２の爪部１５がロック位置で上方から係合するものであり、下ロックプレート１８は内枠下フック１３の爪部１５がロック位置で上方から係合するものであり、内枠上フック１２および内枠下フック１３のそれぞれのロック位置では内枠７が内枠上フック１２および上ロックプレート１７相互間の係合力と内枠下フック１３および下ロックプレート１８相互間の係合力の双方で閉鎖状態から開放状態に回動操作することが不能なロック状態にされている。これら内枠上フック１２および内枠下フック１３のそれぞれはスプリングのばね力でロック解除位置からロック位置に向けて付勢されたものであり、内枠上フック１２の爪部１５はスプリングのばね力で上ロックプレート１７に係合した状態に保持され、内枠下フック１３の爪部１５はスプリングのばね力で下ロックプレート１８に係合した状態に保持されている。
【００１４】
内枠上フック１２および内枠下フック１３のそれぞれは連結プレートを介して相互に連結されている。この連結プレートはロックベース１１に移動可能に装着されたものであり、連結プレートには摘みが形成されている。この摘みは内枠７の右枠部を貫通して前方へ操作可能に突出するものであり、内枠７は摘みを手指で操作することに基づいて下記１）および２）の手順で閉鎖状態から開放状態に開放操作され、下記３）の手順で開放状態から閉鎖状態に閉鎖操作される。
１）摘みを手指で操作する。すると、内枠上フック１２および内枠下フック１３のそれぞれが連結プレートを介してロック位置からロック解除位置にスプリングのばね力に抗して回動し、内枠上フック１２の爪部１５が上ロックプレート１７から外れ、内枠下フック１３の爪部１５が下ロックプレート１８から外れ、内枠ロック機構１０が内枠７を閉鎖状態から開放状態に回動操作することが可能なロック解除状態になる。この内枠ロック機構１０のロック解除状態で内枠７を前方へ操作し、閉鎖状態から開放状態にする。
２）内枠７を閉鎖状態から開放状態に操作した後に摘みから手指を離す。すると、内枠上フック１２および内枠下フック１３のそれぞれがスプリングのばね力でロック解除位置からロック位置に復帰し、摘みが連結プレートと共に内枠上フック１２および内枠下フック１３の双方に連動して操作前の状態に復帰する。
３）内枠７を開放状態から後方へ操作する。すると、内枠上フック１２の操作面１６が上ロックプレート１７によって押圧されることに基づいて内枠上フック１２がロック位置からロック解除位置にスプリングのばね力に抗して回動し、内枠下フック１３の操作面１６が下ロックプレート１８によって押圧されることに基づいて内枠下フック１３がロック位置からロック解除位置にスプリングのばね力に抗して回動する。これら内枠上フック１２および内枠下フック１３のそれぞれは内枠７が閉鎖状態に復帰した時点でロック解除位置からロック位置にスプリングのばね力で復帰するものであり、内枠上フック１２の爪部１５は内枠上フック１２がロック位置に復帰することに基づいて上ロックプレート１７に上方から係合し、内枠下フック１３の爪部１５は内枠下フック１３がロック位置に復帰することに基づいて下ロックプレート１８に上方から係合するものであり、内枠ロック機構１０は内枠７が開放状態から閉鎖状態に操作されることに基づいて自動的にロック解除状態からロック状態に復帰する。内枠ロック機構１０は以上のように構成されている。
【００１５】
内枠７には、図１に示すように、前扉２０が装着されている。この前扉２０は内枠７の前方に配置されたものであり、前板２１と前枠２２と前窓２３を有している。前板２１は、図３に示すように、前方から見て縦長な長方形状をなすものであり、前板２１には円形状の開口部２４が形成されている。前窓２３は透明なガラス板からなるものであり、図１に示すように、前板２１に開口部２４を後方から塞ぐように固定されている。前枠２２は前板２１を取囲む四角筒状をなすものである。この前枠２２は前板２１から後方へ突出するものであり、前板２１の左端面に沿って上下方向へ指向する左板部と前板２１の右端面に沿って上下方向へ指向する右板部と前板２１の上端面に沿って左右方向へ指向する上板部と前板２１の下端面に沿って左右方向へ指向する下板部を有している。
【００１６】
前枠２２の左板部には、図１に示すように、上金具２５および下金具２６のそれぞれが固定されている。この前枠２２は外枠１の上軸４を前枠２２の上金具２５に回動可能に挿入し、外枠１の下軸５を前枠２２の下金具２６に回動可能に挿入することから内枠７に装着されたものであり、閉鎖状態および開放状態相互間で内枠７と共通の上軸４および下軸５の双方を中心に内枠７に対して回動操作される。この前枠２２の閉鎖状態は前枠２２の右板部が内枠７の右枠部に前方から接触し、前枠２２の上板部が内枠７の上枠部に前方から接触し、前枠２２の下板部が内枠７の下枠部に前方から接触した状態であり、前枠２２の左板部は前枠２２の閉鎖状態で内枠７の左枠部から前方に離間し、内枠ロック機構１０の摘みは前枠２２の閉鎖状態で前扉２０によって操作不能に覆われる。この前枠２２の開放状態は上軸４および下軸５の双方を中心に閉鎖状態に比べて前方へ回動した状態であり、内枠ロック機構１０の摘みは前枠２２の開放状態で前方に操作可能に開放される。
【００１７】
化粧板６の上面には、図３に示すように、ゴム製のシール板２７が貼付されており、前枠２２の閉鎖状態ではシール板２７が前枠２２の下板部および化粧板６相互間で弾性的に押し潰されることに基づいて前枠２２の下板部および化粧板６相互間の隙間をピアノ線を挿入することが不能に塞ぐ。前板２１には上皿２８および下皿２９が固定されている。これら上皿２８および下皿２９のそれぞれは上面が開口する容器状をなすものであり、前板２１に対して前方へ突出している。上皿２８は遊技球を貯留するものであり、前窓２３より低所に配置されている。下皿２９は上皿２８内から溢れた遊技球を受けるものであり、上皿２８より低所に配置されている。前板２１にはハンドル台３０が固定されている。このハンドル台３０は前板２１から前方へ突出するものであり、ハンドル台３０には発射ハンドル３１が前後方向へ指向する軸３２を中心に回動可能に装着されている。この発射ハンドル３１は遊技者が手指で操作するものであり、予め決められた発射停止位置および発射停止位置に比べて時計回り方向の発射位置相互間で操作される。
【００１８】
前板２１には、図３に示すように、右側部に位置してシリンダー錠３２が装着されている。このシリンダー錠３２は、図４に示すように、前後方向へ指向する円筒状の外筒３３および前後方向へ指向する円筒状の内筒３４を有するものであり、外筒３３は前板２１に回転不能に固定され、内筒３４は外筒３３の内周面に予め決められたロック位置およびロック位置に対して反時計回り方向へ９０°回転したロック解除位置相互間で外筒３３の軸心線を中心に回転可能に挿入されている。この内筒３４には、図３に示すように、鍵穴３５が形成されており、鍵穴３５は内筒３４のロック位置で上下方向へ指向し、内筒３４のロック解除位置で左右方向へ指向する。
【００１９】
シリンダー錠３２の鍵穴３５は前扉２０の閉鎖状態で前扉２０の前方から内筒３４内に専用の鍵を着脱可能に挿入するためのものであり、シリンダー錠３２は専用の鍵が挿入されていない状態で内筒３４がロック位置に回転不能にロックされた施錠状態になり、専用の鍵が挿入された状態で内筒３４がロック位置およびロック解除位置相互間で回転可能にロック解除された解錠状態になる。このシリンダー錠３２の内筒３４には、図１に示すように、錠プレート３６が連結されている。この錠プレート３６は前板２１の後方に突出する扇形状をなすものであり、シリンダー錠３２の内筒３４と共にロック位置およびロック解除位置相互間で回転操作される。
【００２０】
前板２１には、図１に示すように、操作プレート３７が上下方向へ直線的に移動可能に装着されている。この操作プレート３７は前板２１の後方に配置されたものであり、操作プレート３７および前板２１相互間にはスプリングが介在されている。このスプリングは操作プレート３７を上方へ付勢するものであり、操作プレート３７は錠プレート３６のロック位置ではスプリングのばね力で錠プレート３６に下方から接触したロック位置に保持されている。この錠プレート３６は操作プレート３７を移動操作するものであり、シリンダー錠３２を介してロック位置からロック解除位置に回動操作されることに基づいて操作プレート３７をスプリングのばね力に抗してロック位置から下方のロック解除位置に押下げ、シリンダー錠３２を介してロック解除位置からロック位置に回動操作されることに基づいて操作プレート３７をスプリングのばね力でロック解除位置から上方のロック位置に復帰させる。
【００２１】
前扉２０は、図４に示すように、前枠ロック機構４０を介して閉鎖状態にロックされている。この前枠ロック機構４０は前枠２２が閉鎖状態から開放状態に回動操作されることを禁止するロック状態および閉鎖状態から開放状態に回動操作されることを許容するロック解除状態相互間で切換えられるものであり、シリンダー錠３２は前枠２２の閉鎖状態で前方から前枠ロック機構４０をロック状態からロック解除状態に切換えるための操作機構として機能する。この前枠ロック機構４０の詳細構成は次の通りである。
【００２２】
内枠７のロックベース１１には、図４に示すように、２本の上ガイドピン４１が固定されている。これら両上ガイドピン４１のそれぞれは左右方向へ指向する円柱状をなすものであり、両上ガイドピン４１のそれぞれは前枠上フックプレート４２の長孔状のスリット４３内に挿入されている。この前枠上フックプレート４２はロックベース１１に対して平行なものであり、両スリット４３のそれぞれの内面が上ガイドピン４１の外周面に沿って案内されることに基づいてロック位置およびロック位置に比べて下方のロック解除位置相互間で上下方向へ移動操作される。これら前枠上フックプレート４２およびロックベース１１相互間にはスプリングが介在されており、前枠上フックプレート４２はスプリングのばね力で上方に付勢されている。
【００２３】
前枠上フックプレート４２には、図１に示すように、１個の前枠上フック４４が形成されている。この前枠上フック４４の前端部には上方へ突出する爪部４５が形成されており、爪部４５には後から前に向けて下降する傾斜状の操作面４６が形成されている。この前枠上フック４４の爪部４５は上スリット４７を通して内枠７の前方に突出している。この上スリット４７は内枠７の右枠部に形成されたものであり、前枠上フック４４の爪部４５が前枠上フックプレート４２と共にロック位置およびロック解除位置相互間で移動することを許容する。
【００２４】
内枠７のロックベース１１には、図４に示すように、２本の下ガイドピン４８が固定されている。これら両下ガイドピン４８のそれぞれは左右方向へ指向する円柱状をなすものであり、両下ガイドピン４８のそれぞれは前枠下フックプレート４９の長孔状のスリット５０内に挿入されている。この前枠下フックプレート４９はロックベース１１に対して平行なものであり、両スリット５０のそれぞれの内面が下ガイドピン４８の外周面に沿って案内されることに基づいてロック位置およびロック位置に比べて下方のロック解除位置相互間で上下方向へ移動操作される。これら前枠下フックプレート４９およびロックベース１１相互間にはスプリングが介在されており、前枠下フックプレート４９はスプリングのばね力で上方に付勢されている。
【００２５】
前枠下フックプレート４９は、図４に示すように、前枠上フックプレート４２に比べて上下方向の長さ寸法が大きなものであり、前枠下フックプレート４９には、図１に示すように、上下方向に相互に離間する２個の前枠下フック５１が形成されている。これら両前枠下フック５１のそれぞれの前端部には上方へ突出する爪部５２が形成されており、両爪部５２のそれぞれには後から前に向けて下降する傾斜状の操作面５３が形成されている。これら両前枠下フック５１のそれぞれの爪部５２は下スリット５４を通して内枠７の前方に突出している。これら両下スリット５４のそれぞれは内枠７の右枠部に形成されたものであり、前枠下フック５１の爪部５２が前枠下フックプレート４９と共にロック位置およびロック解除位置相互間で移動することを許容する。
【００２６】
前枠２２には、図１に示すように、右板部に位置して３個の前枠ロック金具５５が固定されている。これら３個の前枠ロック金具５５のそれぞれは水平方向の断面がコ字状をなすものであり、３個の前枠ロック金具５５のそれぞれには縦長な長孔状の係合孔５６が形成されている。前枠上フック４４の爪部４５は前枠２２の閉鎖状態で前枠上フックプレート４２がロック位置に移動している場合に前枠ロック金具５５の係合孔５６を通して前枠ロック金具５５に下方から係合するものであり、前枠上フックプレート４２のロック解除位置で前枠２２が閉鎖状態から開放状態に回動操作されることに基づいて前枠ロック金具５５の係合孔５６内から前方に抜取られる。両前枠下フック５１のそれぞれの爪部５２は前枠２２の閉鎖状態で前枠下フックプレート４９がロック位置に移動している場合に前枠ロック金具５５の係合孔５６を通して前枠ロック金具５５に下方から係合するものであり、前枠下フックプレート４９のロック解除位置で前枠２２が閉鎖状態から開放状態に回動操作されることに基づいて前枠ロック金具５５の係合孔５６内から前方に抜取られる。
【００２７】
内枠７のロックベース１１には、図４に示すように、内枠上フック１２および内枠下フック１３のそれぞれの下方に位置してガイドピン５７が固定されている。これら両ガイドピン５７のそれぞれは左右方向へ指向する円柱状をなすものであり、両ガイドピン５７のそれぞれはスライドプレート５８の長孔状のスリット５９内に挿入されている。このスライドプレート５８はロックベース１１に対して平行なものであり、両スリット５９のそれぞれの内面がガイドピン５７の外周面に沿って案内されることに基づいてロック位置およびロック位置より下方のロック解除位置相互間で上下方向へ移動操作される。
【００２８】
スライドプレート５８には、図４に示すように、上プッシャ６０および下プッシャ６１のそれぞれが形成されている。これら上プッシャ６０および下プッシャ６１のそれぞれはスライドプレート５８から前方へ突出するものであり、上プッシャ６０には上操作子６２が下方から接触し、下プッシャ６１には下操作子６３が下方から接触している。上操作子６２は前枠上フックプレート４２に形成されたものであり、前枠上フックプレート４２用のスプリングのばね力で上プッシャ６０に接触した状態に保持されている。下操作子６３は前枠下フックプレート４９に形成されたものであり、前枠下フックプレート４９用のスプリングのばね力で下プッシャ６１に接触した状態に保持されている。
【００２９】
スライドプレート５８は前枠上フックプレート４２および前枠下フックプレート４９のそれぞれを共通に操作するものであり、スライドプレート５８がロック位置から下方のロック解除位置に移動操作されたときには上プッシャ６０から上操作子６２を通して前枠上フックプレート４２に操作力が伝達され、下プッシャ６１から下操作子６３を通して前枠下フックプレート４９に操作力が伝達され、前枠上フックプレート４２および前枠下フックプレート４９のそれぞれがスライドプレート５８と共にスプリングのばね力に抗して下降する。このスライドプレート５８のロック位置で前枠上フックプレート４２に下方への操作力が伝達されたときには前枠上フックプレート４２がスライドプレート５８の静止状態でスプリングのばね力に抗して単独で下降し、スライドプレート５８のロック位置で前枠下フックプレート４９に下方への操作力が伝達されたときには前枠下フックプレート４９がスライドプレート５８の静止状態でスプリングのばね力に抗して単独で下降する。
【００３０】
スライドプレート５８には、図１に示すように、操作部６４が形成されている。この操作部６４はスライドプレート５８から前方へ突出するものであり、操作部６４には縦長な長孔状の係合孔６５が形成されている。この操作部６４はスリット６６を通して内枠７の前方に突出している。このスリット６６は内枠７の右枠部に形成されたものであり、操作部６４がスライドプレート５８と共にロック位置およびロック解除位置相互間で移動することを許容する。この操作部６４の係合孔６５は前枠２２の閉鎖状態でスライドプレート５８および操作プレート３７のそれぞれがロック位置に保持されている場合に操作プレート３７が挿入されるものであり、操作プレート３７はシリンダー錠３２の内筒３４がロック位置に保持された施錠状態でロック位置に保持される。
【００３１】
前枠２２の閉鎖状態でスライドプレート５８および操作プレート３７のそれぞれがロック位置に保持されている場合には前枠上フック４４の爪部４５が前枠ロック金具５５に前枠ロック金具５５の係合孔５６を通して下方から係合し、両前枠下フック５１のそれぞれの爪部５２が前枠ロック金具５５に前枠ロック金具５５の係合孔５６を通して下方から係合することに基づいて前枠２２が閉鎖状態にロックされており、前枠２２は下記１）および２）の手順で閉鎖状態から開放状態に操作され、下記３）および４）の手順で開放状態から閉鎖状態にロックされる。
１）前枠２２のロック状態でシリンダー錠３２の鍵穴３５内に前方から鍵を挿入し、鍵をロック位置からロック解除位置に回動操作する。すると、操作プレート３７がシリンダー錠３２の内筒３４を介してロック位置からロック解除位置に下降することに基づいてスライドプレート５８の操作部６４を下方へ押圧する。このシリンダー錠３２の操作力でスライドプレート５８が前枠上フックプレート４２用のスプリングのばね力および前枠下フックプレート４９用のスプリングのばね力の双方に抗してロック位置からロック解除位置に移動し、スライドプレート５８がロック位置からロック解除位置に移動することに連動して前枠上フック４４の爪部４５が前枠ロック金具５５から外れ、両前枠下フック５２のそれぞれの爪部５２が前枠ロック金具５５から外れ、前枠ロック機構４０が前枠２２を閉鎖状態から開放状態に操作することが可能なロック解除状態になる。
２）鍵をロック解除位置に回動操作したまま前枠２２に前方への操作力を加え、前枠２２を閉鎖状態から開放状態に回動操作する。すると、操作プレート３７がスライドプレート５８の操作部６４の係合孔６５内から前方に抜取られ、前枠上フックプレート４２および前枠下フックプレート４９のそれぞれがスプリングのばね力でロック解除位置から上方のロック位置に復帰する。この前枠上フックプレート４２の復帰力が上操作子６２からスライドプレート５８の上プッシャ６０に伝達され、前枠下フックプレート４９の復帰力が下操作子６３からスライドプレート５８の下プッシャ６１に伝達され、スライドプレート５８が前枠上フックプレート４２および前枠下フックプレート４９の双方を介してロック解除位置からロック位置に復帰する。
３）前枠２２の開放状態でシリンダー錠３２の鍵をロック解除位置からロック位置に戻し、シリンダー錠３２から鍵を前方へ抜取る。すると、シリンダー錠３２の錠プレート３６が操作プレート３７から離間し、操作プレート３７が操作プレート３７用のスプリングのばね力でロック解除位置からロック位置に上昇し、操作プレート３７がスライドプレート５８の操作部６４の係合孔６５内に前方から進入することが可能な状態になる。
４）前枠２２に後方への操作力を加え、前枠２２を開放状態から閉鎖状態に回動操作する。すると、操作プレート３７がスライドプレート５８の操作部６４の係合孔６５内に前方から進入し、スライドプレート５８の移動が操作プレート３７によって拘束される。このスライドプレート５８の拘束状態で前枠上フック４４の爪部４５の操作面４６が前枠２２の前枠ロック金具５５に接触することに基づいて下方への操作力を受け、両前枠下フック５１のそれぞれの爪部５２の操作面５３が前枠２２の前枠ロック金具５５に接触することに基づいて下方への操作力を受ける。このため、前枠上フックプレート４２がスライドプレート５８の静止状態で下降することに基づいて前枠上フック４４の爪部４５が前枠ロック金具５５の係合孔５６を通して前枠ロック金具５５に係合し、前枠下フックプレート４９がスライドプレート５８の静止状態で下降することに基づいて両前枠下フック５１のそれぞれの爪部５２が前枠ロック金具５５の係合孔５６を通して前枠ロック金具５５に係合し、前枠ロック機構４０が前枠２２を閉鎖状態から開放状態に回動操作することが不能なロック状態になる。前枠ロック機構４０は以上のように構成されている。
【００３２】
内枠７には、図２に示すように、上皿２８および下皿２９の双方の後方に位置して台板部７１が形成されている。この台板部７１は内枠７の左枠部と下枠部と右枠部相互間を接続する板状をなすものであり、台板部７１には台板部７１の前方に位置して機構板７２が固定されている。この機構板７２にはロータリーソレノイドからなる発射ソレノイド７３が固定されている。この発射ソレノイド７３は発射ハンドル３１が発射停止位置に保持されている遊技停止状態で電気的にオフされるものであり、発射ハンドル３１が発射停止位置から時計回り方向へ回動操作されている遊技状態で電気的にオンされる。この発射ソレノイド７３の出力軸には打球槌が連結されており、発射ソレノイド７３は電気的なオン状態で打球槌を待機位置および待機位置に比べて左方の打球位置相互間で往復的に移動操作する。
【００３３】
機構板７２には、図２に示すように、機構板７２の前方に位置して発射レール７４が固定されている。この発射レール７４は発射ソレノイド７３の電気的なオン状態で上皿２８内から遊技球が１個単位で移送されるものであり、右から左に向けて上昇する傾斜状をなしている。この発射レール７４の右端部には球止め部７５が形成されており、球止め部７５には遊技球が通過することが不能な大きさの貫通孔が形成されている。この球止め部７５は上皿２８内から発射レール７４に移送された遊技球が発射レール７４の右端部から転落することを防止するものであり、打球槌は待機位置から打球位置に移動することに基づいて球止め部７５が転落不能に支持する遊技球を球止め部７５の貫通孔を通して右から左に向けて叩き、発射レール７４に沿って右から左に向けて転動させる。
【００３４】
内枠７には、図５に示すように、台板部７１の上方に位置して空間状の遊技盤収納室７６が形成されており、遊技盤収納室７６内には板状の遊技盤７７が垂直に収納されている。この遊技盤７７は、図６に示すように、内枠７の閉鎖状態で外枠１の内部に位置するものであり、遊技盤７７の前面は内枠７の左枠部と右枠部と上枠部と下枠部のそれぞれの全面に比べて後方に位置している。この遊技盤７７には、図５に示すように、内レール７８と外レール７９と球止め部材８０が固定されている。内レール７８は上面が開口する円弧状をなすものであり、外レール７９は内レール７８の外周部に配置された円弧状をなすものであり、球止め部材８０は内レール７８の右端部および外レール７９の右端部相互間の隙間を塞いでいる。
【００３５】
内レール７８および外レール７９相互間には、図５に示すように、左側部に位置して発射通路８１が形成されている。この発射通路８１は下端部および上端部のそれぞれが開口する円弧状をなすものであり、発射通路８１の下端部の入口は発射レール７４の左端部に隙間を介して対向している。この発射通路８１の入口は発射レール７４の左端部から発射された遊技球が進入するものであり、発射通路８１内に進入した遊技球は発射通路８１に沿って円弧状の軌跡を描きながら上昇した後に発射通路８１の上端部の出口から放出される。
【００３６】
遊技盤７７には、図５に示すように、発射通路８１の右方に隣接して遊技領域８２が形成されている。この遊技領域８２は内レール７８と外レール７９と球止め部材８０によって囲まれた領域のうち発射通路８１を除く残りの円形状の領域を称するものであり、発射通路８１の出口から放出された遊技球が転動することが可能な最大範囲に相当する。遊技盤７７には遊技領域８２内に位置して複数の障害釘が固定されており、発射通路８１の出口から遊技領域８２内に放出された遊技球は障害釘に当りながら遊技領域８２内を転動する。この遊技領域８２は前枠２２の閉鎖状態で前窓２３に後方から対向するものであり、遊技領域８２内を転動する遊技球は前枠２２の閉鎖状態で前方から前窓２３を通して視覚的に認識可能にされている。
【００３７】
遊技盤７７には遊技領域８２内に位置して複数の入賞口が固定されている。これら複数の入賞口のそれぞれは遊技球が遊技領域８２内を転動する途中で入賞することが可能なものであり、遊技球が複数の入賞口のそれぞれに入賞したときには上皿２８内に遊技球が賞品として払出される。遊技盤７７には、図５に示すように、貫通孔状のアウト口８３が形成されている。このアウト口８３は内レール７８の最低部に配置されたものであり、複数の入賞口のいずれにも入賞しなかった遊技球は内レール７８に沿って転動することに基づいてアウト口８３内に進入し、アウト口８３を通して遊技盤７７の後方に排出される。
【００３８】
内枠７には、図７に示すように、中間扉９０が装着されている。この中間扉９０は透明なガラス板製の中間窓９１および中間窓９１を支持する中間枠９２を有するものであり、中間扉９０の詳細構成は次の通りである。中間枠９２は前面および後面のそれぞれが開口する八画筒状をなすものであり、中間窓９１は中間枠９２の内周面に嵌合されている。この中間枠９２の前端部には、図２に示すように、中間枠９２を取囲む八画環状の窓受け９３が形成されている。この窓受け９３は中間枠９２の内部に突出するものであり、中間窓９１は後方から窓受け９３に接触することに基づいて中間枠９２から前方に脱落することが防止されている。
【００３９】
中間枠９２には、図２に示すように、左端部に位置して下金具取付板９４および上金具取付板９５のそれぞれが形成されている。これら下金具取付板９４および上金具取付板９５のそれぞれは中間枠９２から左方へ突出するものであり、下金具取付板９４には下金具９６が固定され、上金具取付板９５には上金具９７が固定されている。これら下金具９６および上金具９７のそれぞれは水平な板状をなすものであり、下金具９６には円柱状の下軸９８が装着され、上金具９７には円柱状の上軸９９が装着されている。これら下軸９８および上軸９９のそれぞれは軸心線が相互に共通の垂直な基準線上に配置されたものであり、下軸９８は下金具９６に移動不能に固定され、上軸９９は上金具９７に基準線に沿って直線的に移動可能に支持されている。この上軸９９の外周面には座板１００が移動不能に固定されており、上軸９９の外周面には座板１００および上金具９７相互間に位置して圧縮コイルスプリングからなる扉スプリング１０１が挿入されている。
【００４０】
内枠７の左枠部には、図５に示すように、下金具１０２および上金具１０３のそれぞれが固定されている。これら下金具１０２および上金具１０３のそれぞれは貫通孔を有する水平な板状をなすものであり、下金具１０２の貫通孔内には、図２に示すように、上方から中間枠９２の下軸９８が回動可能に挿入され、上金具１０３の貫通孔には下方から中間枠９２の上軸９９が回動可能に挿入されている。この中間枠９２は下軸９８および上軸９９の双方を中心に閉鎖状態および開放状態相互間で回動操作にされるものである。この中間枠９２の閉鎖状態は中間枠９２の右側の垂直部分が内枠７の右枠部に前方から接触し、中間枠９２のうち右側の垂直部分を除く残りの部分が遊技盤７７に前方から接触した状態であり、中間枠９２および内枠７相互間の接触面は内枠７および前枠２２相互間の接触面に比べて後方に配置され、中間枠９２および遊技盤７７相互間の接触面は内枠７および前枠２２相互間の接触面に比べて後方に配置されている。この中間枠９２は閉鎖状態で遊技盤７７の遊技領域８２を前方から見て外側から取囲むものであり、中間窓９１は中間枠９２の閉鎖状態で遊技盤７７の遊技領域８２に前方から対向する。この中間枠９１の閉鎖状態で前枠２２が閉鎖状態に回動操作された状態では前枠２２が中間枠９２を前方から見て外側から取囲み、前窓２３が遊技盤７７の遊技領域８２に中間窓９１を介して前方から対向する。
【００４１】
中間枠９２の開放状態は閉鎖状態に比べて前方へ下軸９８および上軸９９の双方を中心に回動した状態であり、中間窓９１は中間枠９２の開放状態で遊技盤７７の遊技領域８２を前方に開放する。この中間枠９２の開放状態では中間枠９２の右側の垂直部分が内枠７の右枠部から離間し、中間枠９２のうち右側の垂直部分を除く残りの部分が遊技盤７７から離間する。この中間枠９２は内枠７に対して着脱されるものであり、中間枠９２を内枠７から取外す取外し手順は下記１）および２）の通りであり、中間枠９２を内枠７に取付ける取付け手順は下記３）および４）の通りである。
１）中間枠９２を扉スプリング１０１のばね力に抗して上方へ移動操作し、中間枠９２の下軸９８を下金具９６の貫通孔内から上方へ抜取る。
２）中間枠９２の下軸９８を下金具９６から抜取った後に中間枠９２を下方へ移動操作し、中間枠９２の上軸９９を上金具９７の貫通孔内から下方へ抜取り、中間枠９２を内枠７から取外す。
３）中間枠９２の上軸９９を下方から上金具９７の貫通孔内に挿入する。
４）中間枠９２の上軸９９を上金具９７に挿入した状態で中間枠９２を扉スプリング１０１のばね力に抗して上方へ移動操作し、中間枠９２の下軸９８を下金具９６の貫通孔内に上方から挿入する。
【００４２】
中間枠９２は、図４に示すように、中間枠ロック機構１１０を介して閉鎖状態にロックされている。この中間枠ロック機構１１０は中間枠９２が閉鎖状態から開放状態に回動操作されることを禁止するロック状態および中間枠９２が閉鎖状態から開放状態に回動操作されることを許容するロック解除状態相互間で切換わるものであり、中間枠ロック機構１１０の詳細構成は次の通りである。
【００４３】
内枠７のロックベース１１には、図４に示すように、前枠上フックプレート４２および前枠下フックプレート４９相互間に位置して２本のガイドピン１１１が固定されている。これら両ガイドピン１１１のそれぞれは左右方向へ指向する円柱状をなすものであり、中間枠フックプレート１１２の縦長な長孔状のスリット１１３内に挿入されている。この中間枠フックプレート１１２はロックベース１１に対して平行なものであり、両スリット１１３のそれぞれの内面がガイドピン１１１の外周面に沿って案内されることに基づいてロック位置およびロック位置に比べて下方のロック解除位置相互間で上下方向へ移動操作される。これら中間枠フックプレート１１２およびロックベース１１相互間にはスプリングが介在されており、中間枠フックプレート１１２はスプリングのばね力でロック解除位置からロック位置に向けて付勢されている。
【００４４】
中間枠フックプレート１１２には、図４に示すように、１個の中間枠フック１１４が形成されている。この中間枠フック１１４の前端部には上方へ突出する爪部１１５が形成されており、爪部１１５には後から前に向けて下降する傾斜状の操作面１１６が形成されている。この中間枠フック１１４の爪部１１５は、図８に示すように、スリット１１７を通して内枠７の前方に突出している。このスリット１１７は内枠７の右枠部に形成された切欠状をなすものであり、中間枠フック１１４の爪部１１５が中間枠フックプレート１１２と共にロック位置およびロック解除位置相互間で移動することを許容する。
【００４５】
中間枠９２には、図７に示すように、右側の垂直部分に位置してロックプレート１１８が固定されている。このロックプレート１１８は中間枠フック１１４の爪部１１５の移動方向に対して直角に交差する水平なものであり、中間枠９２の閉鎖状態では、図２に示すように、中間枠フック１１４の爪部１１５が中間枠フックプレート１１２用のスプリングのばね力で下方からロックプレート１１８の前面に係合することに基づいて中間枠９２が閉鎖状態にロックされている。
【００４６】
中間枠フックプレート１１２には、図４に示すように、摘み１１９が形成されており、摘み１１９は、図１に示すように、内枠７のスリット１１７を通して前方に突出している。このスリット１１７は摘み１１９が中間枠フックプレート１１２と共にロック位置およびロック解除位置相互間で移動することを許容するものであり、摘み１１９は前枠２２の閉鎖状態で前板２１と前枠２２と前窓２３によって前方から操作することが不能に覆われ、前枠２２の開放状態で前方から操作することが可能に開放される。この摘み１１９は中間枠フック１１４の爪部１１５の上方に配置されたものであり、中間枠９２が閉鎖状態にロックされた状態で摘み１１９が下方へ操作されたときには中間枠フックプレート１１２が中間枠フックプレート１１２用のスプリングのばね力に抗してロック位置からロック解除位置に移動し、中間枠フック１１４の爪部１１５がロックプレート１１８から外れ、中間枠ロック機構１１０が中間枠９２を閉鎖状態から開放状態に操作することが可能なロック解除状態になる。
【００４７】
中間枠９２が開放状態から後方へ回動操作されたときには中間枠９２のロックプレート１１８が中間枠フック１１４の操作面１１６に前方から接触し、中間枠フック１１４の操作面１１６が中間枠９２のロックプレート１１８から下方への操作力を受けることに基づいて中間枠フックプレート１１２が中間枠フックプレート１１２用のスプリングのばね力に抗して下降する。この中間枠フック１１４の爪部１１５は中間枠９２が開放状態から閉鎖状態に到達した時点で中間枠９２のロックプレート１１８に中間枠フックプレート１１２用のスプリングのばね力で下方から係合するものであり、中間枠ロック機構１１０は中間枠９２が開放状態から閉鎖状態に回動操作された時点で自動的に中間枠９２を閉鎖状態から開放状態に操作することが不能なロック状態になる。この中間枠９２のロックプレート１１８には、図７に示すように、前方へ突出する摘み１２０が形成されており、中間枠９２は摘み１２０を手指で摘まんで閉鎖状態および開放状態相互間で回動操作される。中間枠ロック機構１１０は以上のように構成されている。
【００４８】
中間枠９２には、図７に示すように、球発射口１２１が形成されている。この球発射口１２１は中間枠９２を部分的に切欠いた切欠状をなすものであり、図２に示すように、中間枠９２の下端部の水平部分に配置されている。この球発射口１２１は中間枠９２の閉鎖状態で遊技盤７７の発射通路８１の入口が挿入されるものであり、中間枠９２の閉鎖状態では打球槌が叩いた遊技球が発射レール７４の左端部から中間枠９２の球発射口１２１を通って発射通路８１の入口に進入する。
【００４９】
中間枠９２には、図７に示すように、レール挿入口１２２が形成されている。このレール挿入口１２２は中間枠９２を部分的に切欠いた切欠状をなすものであり、図２に示すように、中間枠９２の左端部の垂直部分に配置されている。このレール挿入口１２２は中間枠９２を閉鎖状態および開放状態相互間で回動操作する場合に遊技盤７７の外レール７９に最も接近する中間枠９２の下軸９８および上軸９９相互間に配置されたものであり、中間枠９２を閉鎖状態および開放状態相互間で回動操作する場合には遊技盤７７の外レール７９がレール挿入口１２２を通して中間枠９２の左方に突出することに基づいて中間枠９２が遊技盤７７の外レール７９に接触することが防止される。
【００５０】
内枠７の左枠部には、図６に示すように、外側ガード部材１２３が固定されている。この外側ガード部材１２３は前枠２２の閉鎖状態で内枠７の左枠部および前枠２２の左板部相互間に介在されるものであり、図９に示すように、前枠２２の開放状態でも内枠７の左枠部および前枠２２の左板部相互間に介在される。この外側ガード部材１２３は左ガード部１２４および前ガード部１２５を有している。左ガード部１２４は、図６に示すように、前枠２２の閉鎖状態で内枠７の左枠部および前枠２２の左板部相互間の隙間を左方から覆うものであり、前ガード部１２５は左ガード部１２４から右方へ突出する部分を称している。この外側ガード部材１２３は上下方向へ指向するＬ字柱状をなすものであり、内枠７の左枠部に上金具８および下金具９相互間の全域に位置して固定されている。この外側ガード部材１２３は前枠２２の閉鎖状態で内枠７の左枠部および前枠２２の左板部相互間の前後方向の隙間を狭めるものであり、外側ガード部材１２３の上端はレール挿入口１２２の上端より高所に配置され、外側ガード部材１２３の下端はレール挿入口１２２の下端より低所に配置されている。
【００５１】
前枠２２には、図６に示すように、内側ガード部材１２６が固定されている。この内側ガード部材１２６は右ガード部１２７および後ガード部１２８を有するものであり、右ガード部１２７は前枠２２の閉鎖状態で外側ガード部材１２３の左ガード部１２４に前ガード部１２５を挟んで右方から対向する板状をなし、後ガード部１２８は前枠２２の閉鎖状態で外側ガード部材１２３の前ガード部１２５に後方から隙間を介して対向する板状をなしている。この内側ガード部材１２６は前枠２２の左板部に沿って上下方向へ指向するものであり、前枠２２の左板部に上金具２５および下金具２６相互間の全域に位置して固定されている。
【００５２】
内枠７の左枠部には、図２に示すように、中間枠ガード部材１２９が固定されている。この中間枠ガード部材１２９は中間枠９２の下金具９６および中間枠９２の上金具９７相互間に位置するものであり、レール挿入口１２２は前方から見て中間枠ガード部材１２９に右方から対向している。この中間枠ガード部材１２９は、図９に示すように、内枠７の外側ガード部材１２３に右方から対向し、前枠２２の閉鎖状態で前枠２２の内側ガード部材１２６に後方から対向するものであり、ベース部１３０と連結部１３１とガード部１３２と位置決め部１３３を有している。
【００５３】
中間枠ガード部材１２９のベース部１３０は、図９に示すように、上方から見て左右方向へ指向する板状の部分を称するものであり、座板１３４に前方から接触している。この座板１３４は内枠７の左枠部に形成された縦長なものであり、内枠７の左枠部には座板１３４の上端部と下端部と上下方向の中間部のそれぞれに位置してボス部が形成されている。これら複数のボス部のそれぞれは前面が開口する円筒状をなすものであり、中間枠ガード部材１２９は、図２に示すように、前方からベース部１３０を通して複数のボス部のそれぞれにネジ１３５を螺合することに基づいて内枠７の左枠部に着脱可能に固定されている。
【００５４】
中間枠ガード部材１２９の連結部１３１は、図９に示すように、上方から見て前後方向へ指向する板状の部分を称するものである。中間枠ガード部材１２９のガード部１３２は上方から見て左右方向へ指向する板状の部分を称するものであり、ベース部１３０および連結部１３１のそれぞれに比べて後方に配置されている。このガード部１３２は連結部１３１を介してベース部１３０に連結されたものであり、ガード部１３２の左半部は内枠７の左枠部に前方から接触している。このガード部１３２の右半部は、図２に示すように、中間枠９２の閉鎖状態で内枠７の左枠部および中間枠９２の左端部の垂直部分相互間の隙間を狭めるものであり、ガード部１３２の右端部には、図６に示すように、傾斜部１３６が形成されている。この傾斜部１３６は左から右に向けて前方へ傾斜するものであり、中間枠９２が閉鎖状態および開放状態相互間で回動操作されるときに中間枠９２の左端部の垂直部分がガード部１３２に接触することを防止する。
【００５５】
中間枠ガード部材１２９の位置決め部１３３は、図９に示すように、上方から見て前後方向へ指向する板状の部分を称するものであり、ガード部１３２から後方へ突出している。この位置決め部１３３は内枠７の左枠部に右方から接触するものであり、中間枠ガード部材１２９は位置決め部１３３が内枠７の左枠部に右方から接触することに基づいて傾斜部１３６が内枠７に接触することなくガード部１３２が内枠７の左枠部および中間枠９２の左端部の垂直部分相互間の隙間を狭める目標位置に配置される。
【００５６】
上記実施例１によれば次の効果を奏する。
前枠２２および中間枠９２のそれぞれのロック状態で前枠２２を前方へ無理に操作する不正行為が行われたときには内枠７および前枠２２相互間に隙間が発生する虞がある。この前枠２２は中間枠９２とは独立して回動するものであり、中間枠９２は内枠７および前枠２２相互間に隙間が不正に発生した状態で閉鎖状態に保持される。このため、遊技盤７７にピアノ線を不正に挿入するには内枠７および前枠２２相互間の不正な隙間を通して中間枠９２を前方へ無理に操作する難易度が高い作業を行う必要性が発生するので、遊技盤７７にピアノ線を挿入する不正行為を行うことが困難になる。
【００５７】
前枠２２および中間枠９２のそれぞれのロック状態で中間枠９２を不正に開放状態に操作するには１）シリンダー錠３２を不正に操作することに基づいて前枠ロック機構４０をロック状態からロック解除状態に切換える作業と２）前枠２２を前枠ロック機構４０のロック解除状態で閉鎖状態から開放状態に不正に操作する作業と３）摘み１１９を前枠２２の開放状態で不正に操作することに基づいて中間枠ロック機構１１０をロック状態からロック解除状態に操作する作業を順に行う必要性が発生する。このため、中間枠９２を閉鎖状態から開放状態に不正に操作するための難易度も高まるので、遊技盤７７の障害釘を手指で直接的に曲げる不正行為を行うことも困難になる。
【００５８】
遊技盤７７の障害釘相互間に挟まった遊技球を障害釘相互間から除去する場合にはシリンダー錠３２を鍵によって操作することに基づいて前枠ロック機構４０をロック状態からロック解除状態に切換え、前枠ロック機構４０のロック解除状態で前枠２２を閉鎖状態から開放状態に回動操作することに基づいて摘み１１９を前方から操作可能となるように開放する。この摘み１１９の開放状態で摘み１１９を操作することに基づいて中間枠ロック機構１１０をロック状態からロック解除状態に切換え、中間枠９２を中間枠ロック機構１１０のロック解除状態で閉鎖状態から開放状態に回動操作する。この中間枠９２の通常の回動操作時には外レール７９が中間枠９２の切欠状のレール挿入口１２２内に進入するので、中間枠９２が外レール７９に接触することがなくなる。このため、外レール７９の径寸法を小さくすることに基づいて外レール７９を中間枠９２から右方へ遠ざけ、外レール７９の径寸法に合わせて内レール７８の径寸法を小さくする必要がなくなるので、遊技盤７７の遊技領域８２の面積が中間枠９２を追加した影響で狭まることが抑えられる。
【００５９】
前枠２２は左板部の上軸４および左端部の下軸５の双方を中心に内枠７に回動可能に支持されたものであり、前枠２２の左板部および内枠７の左枠部相互間には前枠２２が閉鎖状態および開放状態相互間で回動操作されるときに内枠７に接触しないように隙間が形成されている。中間枠９２は左端部の垂直部分の下軸９８および左端部の垂直部分の上軸９９の双方を中心に内枠７に回動可能に支持されたものであり、中間枠９２の左端部の垂直部分および内枠７の左枠部相互間には中間枠９２が閉鎖状態および開放状態相互間で回動操作されるときに内枠７に接触しないように隙間が形成されている。このため、前枠２２および中間枠９２のそれぞれの閉鎖状態で前枠２２の左板部および内枠７の左枠部相互間の隙間から中間枠９２の左端部の垂直部分および内枠７の左枠部相互間の隙間を通してレール挿入口１２２に至るピアノ線の挿入経路が発生する。中間枠ガード部材１２９は中間枠９２の閉鎖状態で中間枠９２の左端部の垂直部分および内枠７の左枠部相互間の隙間を塞ぐものであり、レール挿入口１２２は中間枠９２の閉鎖状態で前方から見て中間枠ガード部材１２９に右向から対向している。このため、前枠２２の左板部および内枠７の左枠部相互間の隙間から中間枠９２の左端部の垂直部分および内枠７の左枠部相互間の隙間を通してレール挿入口１２２に至るピアノ線の挿入経路が遮断されるので、中間枠９２のレール挿入口１２２を通して遊技盤７７の遊技領域８２内にピアノ線を挿入することが困難になる。
【００６０】
前枠２２の閉鎖状態で内枠７の左枠部および前枠２２の左板部相互間に外側ガード部材１２３を介在し、内枠７の左枠部および前枠２２の左板部相互間の前後方向の隙間を外側ガード部材１２３によって狭めたので、内枠７の左枠部および前枠２２の左板部相互間の隙間にピアノ線を挿入することが困難になる。しかも、前枠２２の閉鎖状態で外側ガード部材１２３の左ガード部１２４に内側ガード部材１２６の右ガード部１２７を対向させ、外側ガード部材１２３の前ガード部１２５に内側ガード部材１２６の後ガード部１２８を対向させた。このため、内枠７の左枠部および前枠２２の左板部相互間の隙間から中間枠９２のレール挿入口１２２に至るピアノ線の挿入経路が屈曲するので、中間枠９２のレール挿入口１２２を通して遊技盤７７の遊技領域８２内にピアノ線を挿入することが一層困難になる。
【００６１】
上記実施例１においては、中間枠９２の閉鎖状態で中間枠９２が遊技盤７７の遊技領域８２を前方から見て外側から取囲むように中間枠９２を内枠７のみに前方から接触または遊技盤７７のみに前方から接触させても良い。
【００６２】
上記実施例１においては、前枠２２および中間枠９２のそれぞれを内枠７の右端部に上下方向へ指向する軸を中心に回動可能に装着しても良い。この構成の場合、レール挿入口１２２は下記１）の配置とし、中間枠ガード部材１２９は下記２）の配置とすることが好ましい。その他発明１は当該事項を記載したものである。
１）中間枠９２を閉鎖状態および開放状態相互間で回動操作する場合に遊技盤７７の内レール７８に最も接近する中間枠９２の右端部の垂直部分にレール挿入口１２２を形成し、遊技盤７７の内レール７８をレール挿入口１２２内に進入させることに基づいて中間枠９２が内レール７８に接触することを防止する。
２）内枠７の右枠部に中間枠９２の閉鎖状態で前方から見てレール挿入口１２２が左方から対向するように中間枠ガード部材１２９を固定し、中間枠９２の閉鎖状態で内枠７の右枠部および中間枠９２の右端部の垂直部分相互間の前後方向の隙間を中間枠ガード部材１２９によって塞ぐ。
［その他発明１］
発射レールから遊技球が発射される遊技盤と、
前記遊技盤に設けられた内レールと、
前記遊技盤に前記内レールの外側に位置して設けられ、遊技球が転動する遊技領域および前記発射レールから発射された遊技球を当該遊技領域に放出する発射通路のそれぞれを前記内レールとの間に形成する外レールと、
前記遊技盤を支持する支持枠と、
前記支持枠の右端部に上下方向へ指向する軸を中心に閉鎖状態および開放状態相互間で回動可能に設けられ、閉鎖状態に回動操作されることに基づいて前記遊技盤の遊技領域を遊技者側である前方から見て外側から囲むように前記遊技盤および前記支持枠の一方に前方から接触または前記遊技盤および前記支持枠の双方に前方から接触する中間枠と、
前記中間枠に設けられ、前記中間枠の閉鎖状態で前記遊技盤の遊技領域に前方から対向する透明な中間窓と、
前記中間枠の右端部に位置して設けられ、前記中間枠が閉鎖状態および開放状態相互間で回動操作されるときに前記内レールが進入する切欠状のレール挿入口と、
前記支持枠の右端部に上下方向へ指向する軸を中心に閉鎖状態および開放状態相互間で前記中間枠とは独立して回動可能に設けられ、前記中間枠の閉鎖状態で閉鎖状態に回動操作されることに基づいて前記中間枠を前方から見て外側から囲むように前記支持枠に前方から接触する前枠と、
前記前枠に設けられ、前記前枠および前記中間枠のそれぞれの閉鎖状態で前記遊技盤の遊技領域に前記中間窓を介して前方から対向する透明な前窓と、
前記中間枠が閉鎖状態から開放状態に向けて回動操作されることを禁止するロック状態および前記中間枠が閉鎖状態から開放状態に向けて回動操作されることを許容するロック解除状態相互間で切換えられる中間枠ロック機構と、
前記前枠が閉鎖状態から開放状態に向けて回動操作されることを禁止するロック状態および前記前枠が閉鎖状態から開放状態に向けて回動操作されることを許容するロック解除状態相互間で切換えられる前枠ロック機構と、
前記前枠ロック機構をロック状態からロック解除状態に切換えるためのものであって、前記前枠の閉鎖状態で前方から鍵を用いて操作される錠機構と、
前記中間枠ロック機構をロック状態からロック解除状態に切換えるためのものであって、前記前枠の閉鎖状態で前記前枠と前記前窓によって操作不能となるように覆われると共に前記前枠の開放状態で前方から操作可能となるように開放される操作子と、
前記支持枠の右端部に設けられ、前記中間枠の閉鎖状態で前方から見て前記レール挿入口が左方から対向するものであって前記中間枠の閉鎖状態で前記中間枠の右端部および前記支持枠の右端部相互間の隙間を塞ぐガード部材を備えたことを特徴とするパチンコ遊技機。
【００６３】
上記実施例１においては、中間枠９２を内枠７に換えて遊技盤７７に装着しても良い。
【図面の簡単な説明】
【００６４】
【図１】本発明の実施例１を示す図（パチンコ遊技機の外観を前扉の開放状態で示す斜視図）
【図２】パチンコ遊技機の外観を前扉の除去状態で前方から示す図
【図３】パチンコ遊技機の外観を前扉の装着状態で前方から示す図
【図４】図３のＡ−Ａ線に沿う断面図
【図５】パチンコ遊技機の外観を前扉および中間扉の除去状態で前方から示す図
【図６】（ａ）は図３のＢ−Ｂ線に沿う断面図、（ｂ）はＸｂ部を拡大して示す図
【図７】パチンコ遊技機の外観を前扉および中間扉の開放状態で示す斜視図
【図８】パチンコ遊技機の外観を前扉および中間扉の開放状態で前方から示す図
【図９】（ａ）は図８のＡ−Ａ線に沿う断面図、（ｂ）はＸｂ部を拡大して示す図
【符号の説明】
【００６５】
４は上軸（軸）、５は下軸（軸）、７は内枠（支持枠）、２１は前板、２２は前枠、２３は前窓、３２はシリンダー錠（錠機構）、４０は前枠ロック機構、７４は発射レール、７７は遊技盤、７８は内レール、７９は外レール、８１は発射通路、８２は遊技領域、９１は中間窓、９２は中間枠、９８は下軸（軸）、９９は上軸（軸）、１１０は中間枠ロック機構、１１９は摘み（操作子）、１２２はレール挿入口、１２９は中間枠ガード部材（ガード部材）を示している。
【図１】
0005141309.tif 000002
【図２】
0005141309.tif 000003
【図３】
0005141309.tif 000004
【図４】
0005141309.tif 000005
【図５】
0005141309.tif 000006
【図６】
0005141309.tif 000007
【図７】
0005141309.tif 000008
【図８】
0005141309.tif 000009
【図９】
0005141309.tif 000010